(57)【要約】【課題】副映像の表示状態を、主映像の変化に応じて適切に見易く制御することの可能な映像データ再生装置を提供する。【解決手段】主映像において副映像が重ねて表示される領域の主映像データから輝度信号平均値を算出する平均値算出部３５と、平均値算出部３５から得られた輝度信号平均値と、副映像データの輝度信号値との差を求める比較演算部３６と、比較演算部３６により求められた差が大きい場合は、読み込んだ副映像データのとおりに副映像を出力し、差が小さい場合は、副映像の表示色を主映像と判別し易い色に変換して出力する変換器３７とを備えることにより、主映像の色合いの変化に関わらず副映像を見易く表示する。【選択図】　図１
2004032115.tif 000002
【特許請求の範囲】
【請求項１】
主映像データおよび副映像データを読み込み、主映像に副映像を付加して再生する映像データ再生装置において、
主映像において副映像が重ねて表示される領域の主映像データから輝度信号平均値を算出する平均値算出手段と、
前記平均値算出手段から得られた輝度信号平均値と、前記副映像データの輝度信号値とを比較し、差が大きい場合は、読み込んだ副映像データに従った表示色で副映像を出力し、差が小さい場合は、副映像の表示色を主映像と判別し易い色に変換して出力する副映像制御手段とを備えたことを特徴とする映像データ再生装置。
【請求項２】
前記副映像制御手段が、前記平均値算出手段から得られた輝度信号平均値と、前記副映像データの輝度信号値とを比較し、差が大きい場合は、読み込んだ副映像データに従った表示色で副映像を出力し、差が小さい場合は、副映像の背景色を主映像と判別し易い色に変換して出力する、請求項１に記載の映像データ再生装置。
【発明の詳細な説明】
【０００１】
【発明の属する技術分野】
本発明は、主映像データおよび副映像データが記録されたメディアを再生する映像データ再生装置に関し、特に、副映像の表示状態を自動的に見易く変換する映像データ再生装置に関する。
【０００２】
【従来の技術】
近年は、ＤＶＤ記録再生装置が普及しつつあり、映画を中心としたＤＶＤタイトルの数も増えている。このため、家庭や自動車内等で個人的に映画等を楽しむことができるようになっている。
【０００３】
図５は、ＤＶＤに記録されているデータ構造例を示す模式図である。図５に示すように、ＤＶＤ１０には、ＭＰＥＧ２により圧縮された主映像データ１２、ＡＣ３等により圧縮された音声データ１３、ランレングス圧縮法により圧縮された副映像データ１４、および再生制御用に使用されるナビゲーションデータ１１が記録されている。
【０００４】
副映像とは、主映像に付加して表示される映像であり、例えば、字幕やカラオケ歌詞表示等である。副映像データ１４は、副映像の色、コントラスト、および表示領域を主映像とは別個に指定するためのデータであり、サブピクチャユニット（以下ＳＰＵとする）という単位で構成されている。
【０００５】
データ再生装置は、ナビゲーションデータ１１のプログラムに従って、主映像データ１２、音声データ１３、および副映像データ１４を再生する。
【０００６】
ナビゲーションデータ１１には、再生制御するためのプログラムに相当するＰＧＣＩ（プログラムチェーン）が含まれる。ＰＧＣＩは、プログラムチェーン一般情報（ＰＧＣ＿ＧＩ）１１１、プログラムチェーンコマンドテーブル（ＰＧＣ＿ＣＭＤＴ）１１２、プログラムチェーンプログラムマップ（ＰＧＣ＿ＰＧＭＡＰ）１１３、セル再生情報テーブル（Ｃ＿ＰＢＩＴ）１１４、セル位置情報テーブル（Ｃ＿ＰＯＳＩＴ）１１５で構成される。
【０００７】
プログラムチェーン一般情報（ＰＧＣ＿ＧＩ）１１１は、プログラムに関する情報を含み、この中のＰＧＣ＿ＳＰ＿ＰＬＴ（ＰＧＣサブピクチャパレット）１１１１を用いて、副映像の表示色の１６種類が定義されている。副映像は、副映像データ１４内に予め指定された副映像の色コード（ＳＥＴ＿ＣＯＬＯＲ）に従って、ＰＧＣ＿ＳＰ＿ＰＬＴより色のデータを抽出し、表示される。
【０００８】
副映像データ１４は、サブピクチャユニット（ＳＰＵ）という単位で構成されている。図６に、ＳＰＵの構成を示す。ＳＰＵは、サブピクチャユニット（ＳＰＵＨ）と、ピクセルデータ（ＰＸＤ）、サブピクチャ表示制御シーケンステーブル（ＳＰ＿ＤＣＳＱＴ）から構成される。
【０００９】
ＳＰＵＨは、ＳＰＵの大きさ（２バイト）と、ＳＰ＿ＤＣＳＱＴの先頭アドレス（２バイト）で構成される。ＰＸＤは、ランレングス圧縮法によりライン毎にビットマップデータを圧縮したデータである。ＳＰ＿ＤＣＳＱＴは、複数のサブピクチャ表示制御シーケンス（ＳＰ＿ＤＣＳＱｎ；ｎ＝１，２，…Ｎ）を含む。
【００１０】
また、ＳＰ＿ＤＣＳＱは、当該ＳＰ＿ＤＣＳＱが実行される時間、当該ＳＰ＿ＤＣＳＱの次に実行されるＳＰ＿ＤＣＳＱの先頭アドレス、複数の表示制御コマンド（ＳＰ＿ＤＣＣＭＤ）が、連続して並べられた構成である。
【００１１】
ＳＰ＿ＤＣＣＭＤは、副映像の色コード（ＳＥＴ＿ＣＯＬＯＲ）と、副映像の表示領域を示す情報（ＳＥＴ＿ＤＡＲＥＡ）と、副映像と主映像とのコントラスト（ＳＥＴ＿ＣＯＮＴＲＡ）等で構成される。
【００１２】
ＳＥＴ＿ＣＯＬＯＲは、表示する画素データ内の色コード（ＰＩＸＥＬ＿ＣＯＬＯＲ＿ＣＯＤＥ）と、ＳＥＴ＿ＤＡＲＥＡで指定された表示領域のピクセルデータ外の背景色コード（ＢＧ＿ＣＯＬＯＲ＿ＣＯＤＥ）等を含む。
【００１３】
ＳＥＴ＿ＣＯＮＴＲＡには、上記画素データと主映像とのコントラスト（ＰＩＸＥＬ＿ＣＯＮＴＲＡ）と、上記背景色と主映像とのコントラスト（ＢＧ＿ＣＯＮＴＲＡ）等が記録されている。
【００１４】
従来のＤＶＤ再生装置は、図７に示すように、ＭＰＥＧデコーダ３１、ＳＰＵデコーダ３２、カラーパレット３３、および加算器３４を備えている。ＳＰＵデコーダ３２が、ＤＶＤ１０から読み出した副映像データ１４を復号化することにより、副映像の画面上の位置（ＳＥＴ＿ＤＡＲＥＡ）、副映像の表示色（ＳＥＴ＿ＣＯＬＯＲ）、および、主映像とのコントラスト（ＳＥＴ＿ＣＯＮＴＲＡ）を決定する。
【００１５】
決定された副映像の表示色（ＳＥＴ＿ＣＯＬＯＲ）に対応する色コードがカラーパレット３３から取得され、副映像の表示データが生成される。生成された副映像の表示データは、ＤＶＤ１０から読み出した主映像データ１２をＭＰＥＧデコーダ３１により復号化して得られる主映像の表示データと、加算器３４において加算され、出力デバイスに送られる。これにより、主映像の一部に副映像が重ね合わせて出力される。
【００１６】
【発明が解決しようとする課題】
上述したように、ＤＶＤ規格で許されている副映像は、ＰＧＣサブピクチャパレットとして用意された１６種類の表示色の中から、コンテンツにより指定された色を選んで表示される。従って、図３（ａ）に示すように、主映像の色合いとの関係によっては、副映像が見づらくなる場合があるという問題がある。
【００１７】
このため、副映像の表示色をユーザの指定により変更する仕組みも、従来提案されている。しかし、この仕組みでは、再生を開始する前に、副映像の表示色をユーザ操作によりあらかじめ設定する必要がある。また、副映像がユーザ指定された色で一律に表示されるので、時々刻々と変化する主映像の色合いによっては副映像が見難くなる場合があり、問題の根本的な解決にはなっていない。
【００１８】
そこで、本発明は、上記の問題を解決するために、副映像の表示状態を、主映像の変化に応じて適切に見易く制御することの可能な映像データ再生装置を提供することを目的とする。
【００１９】
【課題を解決するための手段】
本発明にかかる映像データ再生装置は、上記の目的を達成するために、主映像データおよび副映像データを読み込み、主映像に副映像を付加して再生する映像データ再生装置において、主映像において副映像が重ねて表示される領域の主映像データから輝度信号平均値を算出する平均値算出手段と、前記平均値算出手段から得られた輝度信号平均値と、前記副映像データの輝度信号値とを比較し、差が大きい場合は、読み込んだ副映像データに従った表示色で副映像を出力し、差が小さい場合は、副映像の表示色を主映像と判別し易い色に変換して出力する副映像制御手段とを備えたことを特徴とする。
【００２０】
【発明の実施の形態】
本発明の映像データ再生装置では、副映像が重ねて表示される領域における主映像データの輝度信号平均値と副映像データの輝度信号値との差が大きい場合、すなわち、主映像と副映像との識別が容易である場合は、副映像データに従った表示色のままで副映像が出力される。一方、副映像が重ねて表示される領域における主映像データの輝度信号平均値と副映像データの輝度信号値との差が小さい場合、すなわち、主映像と副映像とが識別し難い場合は、副映像データの表示色が、主映像と判別し易い色に変換されて出力される。これにより、映像データの再生中、常に、副映像の表示状態を、主映像の変化に応じて適切に見易く制御することの可能な映像データ再生装置を提供することができる。
【００２１】
本発明の映像データ再生装置において、前記副映像制御手段が、前記平均値算出手段から得られた輝度信号平均値と、前記副映像データの輝度信号値とを比較し、差が大きい場合は、読み込んだ副映像データに従った表示色で副映像を出力し、差が小さい場合は、副映像の背景色を主映像と判別し易い色に変換して出力する構成としてもよい。この構成によっても、主映像と副映像とを判別し易い状態で表示することが可能となる。
【００２２】
以下、本発明に係る映像データ再生装置の一実施形態としてのＤＶＤ再生装置について、図面を参照しながら説明する。
【００２３】
図１に示すように、本実施形態にかかるＤＶＤ再生装置は、ＭＰＥＧデコーダ３１、ＳＰＵデコーダ３２、カラーパレット３３、加算器３４、平均値算出部３５、比較演算部３６、および変換器３７を備えている。ＭＰＥＧデコーダ３１、ＳＰＵデコーダ３２、カラーパレット３３、および加算器３４の機能は、図７に示した従来のＤＶＤ再生装置と同様であるので、その説明を省略する。
【００２４】
平均値算出部３５は、ＭＰＥＧデコーダ３１により伸張された主映像データと、ＳＰＵデコーダ３２により副映像データを復号化して得られたＳＥＴ＿ＤＡＲＥＡ（副映像の表示領域の情報）とを入力し、主映像における副映像表示領域内の画素の輝度信号の平均値を算出する。
【００２５】
比較演算部３６は、平均値算出部３５により得られた平均値と、副映像データのＳＥＴ＿ＣＯＬＯＲ内のＰＩＸＥＬ＿ＣＯＬＯＲ＿ＣＯＤＥで指定されたカラーパレットの輝度信号値とを比較する。そして、これらの差が大きい場合は、ＰＩＸＥＬ＿ＣＯＬＯＲ＿ＣＯＤＥで指定されたカラーパレット３３の色コードに従って、副映像の表示データを、コンテンツで指定されているとおりに変換器３７から加算器３４へ出力する。一方、差が小さい場合は、ＰＩＸＥＬ＿ＣＯＬＯＲ＿ＣＯＤＥで指定されたカラーパレットの色コードを用いず、変換器３７により副映像の表示色を自動的に見易い値に変換し、加算器３４へ出力する。
【００２６】
図２に、本映像データ再生装置においてモニタに出力される主映像と副映像の様子を示す。主映像が明るく、副映像も明るい場合、副映像を暗くすることで副映像の表示を見易くする。また、主映像が暗く、副映像が暗い場合には、副映像を明るくすることで副映像の表示を見易くする。
【００２７】
また、副映像の背景色および背景コントラスト（ＢＧ＿ＣＯＬＯＲ＿ＣＯＤＥおよびＢＧ＿ＣＯＮＴＲＡ）を変更することで、副映像を自動的に見易することも可能である。
【００２８】
図４に、モニタに出力される主映像と副映像の表示を示す。主映像が明るく、副映像も明るい場合、副映像の表示が見難い。そこで、副映像の背景色を暗くすることで、副映像の表示を見易くする。
【００２９】
なお、本実施形態では、映像データ再生装置の例としてＤＶＤ再生装置を示した。しかし、本発明はこれに限定されるものではなく、主映像と副映像とを重ねて表示する装置であれば、任意の装置に適用することが可能である。
【００３０】
【発明の効果】
本発明によれば、副映像の表示状態を、主映像の変化に応じて適切に見易く制御することの可能な映像データ再生装置を提供することができる。
【図面の簡単な説明】
【図１】本発明の一実施形態にかかる映像データ再生装置の概略構成を示すブロック図
【図２】本発明の映像データ再生装置における副映像の表示制御の一例を示す説明図
【図３】（ａ）は、従来の映像データ再生装置における表示状態を示す説明図、（ｂ）は本発明の映像データ再生装置における表示状態を（ａ）と対比させて示す説明図
【図４】本発明の映像データ再生装置における副映像の表示制御の他の例を示す説明図
【図５】ＤＶＤに記録されているデータの構造を示す模式図
【図６】副映像データのデータ構造を示す模式図
【図７】従来の映像データ再生装置の構成を示すブロック図
【図１】
2004032115.tif 000003
【図２】
2004032115.tif 000004
【図３】
2004032115.tif 000005
【図４】
2004032115.tif 000006
【図５】
2004032115.tif 000007
【図６】
2004032115.tif 000008
【図７】
2004032115.tif 000009